(57)【要約】【課題】可動役物を駆動させるための駆動体が発した熱を効率よく放散する。【解決手段】本実施形態例に係るパチンコ機Ｐは、遊技の進行に応じて動作可能な可動役物５４と、モータ（駆動体）５６０を駆動源として可動役物５４を動作させる駆動機構５６と、駆動機構５６を支持するベース部材５７０と、ベース部材５７０に搭載されてモータ５６０が発した熱を放散するための放熱板（放熱部材）５６１と、モータ５６０に接触する熱伝導部材５６２と、を備え、熱伝導部材５６２を放熱板５６１に接触させている。また、熱伝導部材５６２は、モータ５６０の金属部（発熱部）５６０ｂの外周と面接触する第１接触部と、放熱板５６１と面接触する第２接触部と、を含んでいる。【選択図】図９
2020120935.tif 000002
【特許請求の範囲】
【請求項１】
遊技の進行に応じて動作可能な可動役物と、
駆動体を駆動源として前記可動役物を動作させる駆動機構と、
放熱部材と、
前記駆動体に接触する熱伝導部材と、を備え、
前記熱伝導部材を前記放熱部材に接触させた、ことを特徴とする遊技機。
【請求項２】
前記熱伝導部材は、前記駆動体の発熱部と面接触する第１接触部と、前記放熱部材と面接触する第２接触部と、を含んでいる、ことを特徴とする請求項１に記載の遊技機。
【発明の詳細な説明】
【技術分野】
【０００１】
本発明は、可動役物を動作させて遊技を演出する遊技機に関する。
【背景技術】
【０００２】
従来、例えば大当たりに当選したとき等に遊技に関する演出を盛り上げるために、演出表示装置の前面で種々の動作を行う可動役物を備えた遊技機が知られている。通常、このような可動役物は、モータを駆動源とする駆動装置によって種々の動作を行えるようになっている。例えば特許文献１に記載の遊技機は、可動役物（回転板）を動作させるための駆動源としてモータを用いており、このモータの回転を減速ギア列等からなる動力伝達機構を介して可動役物に伝達するようになっている。
【先行技術文献】
【特許文献】
【０００３】
【特許文献１】特開２０１４−１２１５２号公報
【発明の概要】
【発明が解決しようとする課題】
【０００４】
ところで、昨今、遊技に関する演出を従来よりもさらに盛り上げるために、可動役物を動作させる頻度を高めたり、可動役物自体を大型化させる傾向がある。そのため、このような可動役物を動作させるためには、モータ（駆動体）に必要となる電気的エネルギーが従来よりも増大し、それに応じてモータが発する熱も増大するという問題が生じている。特に、モータや動力伝達機構を含む駆動装置は、遊技盤の背面と遊技機の外枠の背面板との間に挟まれた狭いスペースに配置されるので、熱が籠りやすくなっている。そのため、モータから発せられる熱が増大すると、大量の熱が駆動装置の周辺に籠ってしまい、このような熱の籠りを起因としてモータの性能が低下してしまう虞がある。
【０００５】
本発明は、上記した実情に鑑みてなされたものであり、その目的は、駆動体が発した熱を効率よく放散することができる遊技機を提供することにある。
【課題を解決するための手段】
【０００６】
上記の課題を解決するため、本発明は、遊技の進行に応じて動作可能な可動役物と、駆動体を駆動源として前記可動役物を動作させる駆動機構と、放熱部材と、前記駆動体に接触する熱伝導部材と、を備え、前記熱伝導部材を前記放熱部材に接触させた、ことを特徴とする。
【０００７】
また、上記構成において、本発明は、前記熱伝導部材は、前記駆動体の発熱部と面接触する第１接触部と、前記放熱部材と面接触する第２接触部と、を含んでいる、ことを特徴とする。
【発明の効果】
【０００８】
本発明によると、駆動体が発した熱を効率よく放散することができる。
【図面の簡単な説明】
【０００９】
【図１】本実施形態例に係るパチンコ機の外観を示す正面図である。
【図２】図１に示すパチンコ機の外観を示す斜視図である。
【図３】図１に示すパチンコ機の背面図である。
【図４】図１に示すパチンコ機が備えている可動役物が突出位置にある状態を示す正面図である。
【図５】図４に示す遊技盤を取り除いた状態における可動役物を示す正面図である。
【図６】図５に示す可動役物が没入位置にある状態を示す正面図である。
【図７】図６に示す可動役物の前面に遊技盤を取り付けた状態を示す正面図である。
【図８】図５および図６に示す駆動装置とベース部材を示す斜視図である。
【図９】図８に示す駆動装置のモータ周辺の構成を示す斜視図である。
【図１０】図９の分解斜視図である。
【発明を実施するための形態】
【００１０】
発明の実施の形態について図面を参照して説明すると、図１と図２に示すように、本発明の実施形態例に係るパチンコ機（遊技機）Ｐは、遊技場の島設備に設置される縦長方形状の外枠１と、外枠１に扉状に開閉自在に取り付けられた内枠２と、内枠２の前面に扉状に開閉自在に取り付けられた前面扉３等を備えている。外枠１と内枠２によって、本体枠４が構成されており、この本体枠４は後述する遊技盤を保持している。
【００１１】
前面扉３には、ガラスやプラスチック等からなる透明板６が取り付けられているとともに、この透明板６の周囲には、前面ユニット３０が設けられている。この前面ユニット３０は、透明板６の下方に位置して遊技球を収容可能な上段受皿１３および下段受皿１４と、下段受皿１４の右側方に取り付けられて遊技球の発射操作を行うための操作ハンドル１６とを有している。また、この前面ユニット３０は前面扉３に設けられる各種演出装置の基台となるものであり、前面ユニット３０の所定位置に各種演出装置が設けられている。具体的には、透明板６の上方から左側方にかかる部位を囲むように装飾レンズ１０が設けられ、透明板６の右上方に回転灯ユニット１１が設けられ、回転灯ユニット１１の真下であって透明板６の右側方にサイドパネルユニット１２が設けられ、上段受皿１３の前面中央に演出操作ユニット１５が設けられ、透明板６の左右下方と上方に複数（例えば４つ）のスピーカ１７ａ〜１７ｄが設けられている。
【００１２】
装飾レンズ１０の内部には複数のＬＥＤ（図示せず）が設けられており、これらＬＥＤが遊技の進行に伴って種々の色や発光パターンで発光するという演出が行われるようになっている。回転灯ユニット１１には環状に配置した複数のＬＥＤ（図示せず）が設けられており、各ＬＥＤが配置順に点灯と消灯を繰り返すことにより、恰も回転灯が発光しているような演出を実行できるようになっている。サイドパネルユニット１２は前方に向けて突出するように形成された略長方形薄板状の装飾用装置であって、この装置に内装されたデザインシート（図示せず）の視認性を高めるためのものである。
【００１３】
上段受皿１３には、パチンコ機の側方に設置された図示せぬ遊技球貸出装置により貸し出される遊技球や、パチンコ機の賞球払出装置から払い出される賞球が導かれるようになっており、この上段受皿１３が遊技球で一杯になると、その後に貸し出されたり払い出されたりする遊技球は下段受皿１４に導かれるようになっている。操作ハンドル１６は遊技者が所定方向へ向けて回転操作できるように形成されており、遊技者が操作ハンドル１６を回転操作すると、上段受皿１３に収容されている遊技球が遊技盤の下方に配設された発射装置（図示せず）に送られる。そして、この発射装置により操作ハンドル１６の回転角度に応じた強度で遊技球が発射されるようになっている。演出操作ユニット１５は、遊技の進行に伴って実行される演出の切り替え等を行えるようになっている。スピーカ１７ａ〜１７ｄは、遊技の進行に応じて遊技に関する様々な音を出力するようになっている。
【００１４】
図３に示すように、このパチンコ機Ｐの背面側には、遊技に関する主要な処理を行う主制御基板１８と、主制御基板１８からの指令を受けて上記した回転灯ユニット１１やスピーカ１７ａ〜１７ｄ等の各種演出装置を制御する副制御基板１９と、前述した賞球払出装置２０と、主制御基板１８からの指令を受けて賞球払出装置２０を制御する払出制御基板２１と、操作ハンドル１６の回転操作量に応じて発射装置の作動を制御する発射制御基板２２と、大当たり回数等の各種情報を遊技場のホールコンピュータに出力する外部端子基板２３等が設けられている。主制御基板１８には、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されており、このＣＰＵがＲＯＭに格納された各種プログラムやデータを読み込んで実行することにより、遊技に関する主要な処理が行われる。
【００１５】
図４に示す遊技盤５は内枠２に収納・保持されており、この遊技盤５の前面には、ガイドレール５０等によって囲まれた遊技領域５１が形成されている。遊技盤５の遊技領域５１は透明板６を透して目視可能となっており、この遊技領域５１には、始動入賞口５１ａ、一般入賞口５１ｂ、遊技釘５１ｃ、風車５１ｄ等が設けられている。操作ハンドル１６が遊技者によって任意角度に回転操作されると、上記した発射装置が上段受皿１３に貯留された遊技球を遊技領域５１に向けて連続的に打ち出すようになっている。そして、発射装置により発射されて遊技盤５の遊技領域５１を流下する遊技球が、一般入賞口５１ｂまたは始動入賞口５１ａに入球すると、所定個数の遊技球が賞球として払い出される。また、遊技球が始動入賞口５１ａに入球した場合には、特別遊技を実行させるか否かを決定する大当たりの電子抽選が行われる。
【００１６】
遊技盤５の遊技領域５１の略中央には、所定形状に切り抜かれた窓５２が設けられている。遊技者がこの窓５２から臨める位置であって遊技盤５の背面側に、遊技に関する各種演出を表示する演出表示装置５３と、この演出表示装置５３よりも前面側に位置する可動役物５４とが設けられている。
【００１７】
図５は、図４において遊技盤５を取り除いた状態を示している。この図に示すように、遊技盤５の下半分（図４参照）と対向するように、可動役物５４を駆動させる可動役物駆動ユニット５５が設けられている。可動役物駆動ユニット５５は門構え状に形成された枠部材６０に取り付けられた状態で、遊技盤５の背面と外枠１の背面板との間に挟まれた狭いスペースに配置されている。可動役物駆動ユニット５５は、可動役物５４と、可動役物５４を昇降動作させる駆動装置（駆動機構）５６と、可動役物５４の昇降動作を補助する支持部材５７と、駆動装置５６および支持部材５７の双方に連結している連結板５８と、可動役物５４の昇降動作を安定させる一対のアーム部材５９ａ，５９ｂとを備えている。駆動装置５６は後述するベース部材を介して枠部材６０の左側部に沿って取り付けられており、支持部材５７は枠部材６０の右側部に沿って取り付けられており、連結板５８は枠部材６０の左側部と右側部とを支持している。
【００１８】
可動役物５４は横長方形状に形成された液晶表示装置からなり、可動役物５４の左側部に第１連結片５４ａが設けられている。この第１連結片５４ａの左側部は、駆動装置５６の後述する昇降部材に連結されている。また、可動役物５４の右側部に第２連結片５４ｂが設けられている。この第２連結片５４ｂの右側部は、支持部材５７の後述するガイド部にスライド可能に連結されている。なお、可動役物５４の左下部から第１連結片５４ａの下部に亘って、左右方向に延びる上部横孔５４０ａが設けられている。
【００１９】
図８に示すように、駆動装置５６は、駆動源としてのモータ（駆動体）５６０と、モータ５６０の回転力を伝達する動力伝達機構（図示せず）とを備えており、これらモータ５６０と動力伝達機構は、ベース部材５７０に支持されている。モータ５６０はその出力軸を背面側に向けてベース部材５７０の前面に配置されており、動力伝達機構はモータ５６０よりも背面側のベース部材５７０に設けられている。動力伝達機構は、モータ５６０の出力軸に固着されたギアに噛合する減速歯車列や、減速歯車列の最終段ギアに噛合するラックや、ラックに連動して上下方向に移動する昇降部材等から構成されており、モータ５６０の回転運動をラック等を介して昇降部材の上下方向に沿った直線運動に変換できる。そのため、モータ５６０が回転すると、その回転方向に応じて上記した減速歯車列およびラックを介して昇降部材が昇降動作するので、この昇降部材に連結された第１連結片５４ａとともに可動役物５４が昇降動作するようになっている。なお、詳細は後述するが、この駆動装置５６には、モータ５６０から発せられた熱を放散できるようにするために、放熱板５６１や熱伝導部材５６２が設けられている。
【００２０】
図５に戻り、支持部材５７は上下方向に延びるように形成されたガイド部５７ａを有し、第２連結片５４ｂの右側部はガイド部５７ａに対してスライド可能に連結されている。そのため、可動役物５４が昇降動作すると、この昇降動作を補助するように第２連結片５４ｂがガイド部５７ａに沿って上下方向にスライドする。
【００２１】
連結板５８の左下周辺には、左右方向に延びる下部横孔５８０が設けられている。アーム部材５９ａ，５９ｂは連結板５８の前面に配置されており、これらアーム部材５９ａ，５９ｂは互いの中央部で軸５９ｃを介してＸ字状に連結されている。一方のアーム部材５９ａの一端部は連結板５８の右下周辺に回転可能に支持されており、このアーム部材５９ａの他端部は上部横孔５４０ａに摺動可能に係合されている。他方のアーム部材５９ｂの一端部は可動役物５４の右下方に回転可能に支持されており、このアーム部材５９ｂの他端部は下部横孔５８０に摺動可能に係合されている。
【００２２】
本実施形態例では、可動役物５４が連結板５８よりも上方の突出位置に保持されているとき、駆動装置５６のモータ５６０は駆動されずに停止している。このとき、図４に示すように、可動役物５４は窓５２の内側における下方領域に位置しており、遊技者は透明板６を通して可動役物５４を目視できるようになっている。
【００２３】
一方で、演出表示装置５３において特殊な演出（例えばリーチ発生時や大当たり当選時の演出等）が行われているとき、駆動装置５６のモータ５６０が一方向に回転し、モータ５６０の回転が動力伝達機構を介して昇降部材の直線運動に変換され、この昇降部材に連結された第１連結片５４ａと可動役物５４が下降し、この下降動作を補助するように第２連結片５４ｂも下方に移動する。その際、アーム部材５９ａの他端部が上部横孔５４０ａ内を左方向に移動するとともに、アーム部材５９ｂの他端部が下部横孔５８０内を左方向に移動することにより、一対のアーム部材５９ａ，５９ｂが互いの交差角度を小さくするように折り畳まれるため、可動役物５４を安定した姿勢で下方に移動させることができる。そして、最終的には、図６に示すように、昇降部材が枠部材６０の左側部の下方位置まで下降した状態で、モータ５６０は再び停止する。このとき、第１連結片５４ａと可動役物５４は、枠部材６０の枠内における下方位置まで下降して静止し、第２連結片５４ｂもまたこの可動役物５４を支持するように枠部材６０の枠内における下方位置まで下降して静止する。図７は、図６において遊技盤５を取り付けた状態を示している。この図に示すように、可動役物５４は遊技盤５の下方領域の背面側に隠れた没入位置に保持されており、遊技者は透明板６を通して可動役物５４の液晶表示画面を目視できないようになっている。
【００２４】
なお、この特殊な演出が終了すると、駆動装置５６のモータ５６０が他方向に回転し、このモータ５６０の回転が動力伝達機構を介して昇降部材の直線運動に変換され、この昇降部材に連結された第１連結片５４ａと可動役物５４が上昇するとともに、この上昇動作を補助するように第２連結片５４ｂが上方に移動する。そして、可動役物５４を安定した姿勢に保ちながらアーム部材５９ａ，５９ｂが立ち上がっていき、最終的に可動役物５４は再び連結板５８よりも上方の突出位置に保持されるようになる（図５参照）。
【００２５】
図９と図１０に示すように、駆動装置５６のモータ５６０の周辺には、ベース部材５７０と、このベース部材５７０上に配置される放熱板５６１と、放熱板５６１上に配置されるモータ５６０と、モータ５６０と放熱板５６１の双方に接触させた熱伝導部材５６２と、が設けられている。
【００２６】
ベース部材５７０は例えば合成樹脂材料からなり、放熱板５６１を配置するための凹部５７０ａを有している。この凹部５７０ａは放熱板５６１の形状に合わせて放熱板５６１よりも若干大きくなるように形成されているとともに、放熱板５６１の厚みと同程度の深さになるように形成されている。また、この凹部５７０ａはモータ５６０の出力軸を挿通させて動力伝達機構と連結させるための第１開口部５７０ｂを有している。
【００２７】
放熱板５６１は、例えばステンレスのような放熱性に優れた略平板状の金属板からなり、ベース部材５７０の凹部５７０ａ内に配置されており、ベース部材５７０の前方に突出しないようになっている。また、放熱板５６１の下方部分はモータ５６０が配置される領域Ｓ１を含んでおり、放熱板５６１の右下側部にモータ５６０の出力軸を挿通させるための第２開口部５６１ａが設けられている。放熱板５６１の上方部分は、熱伝導部材５６２と接触する領域Ｓ２と、熱伝導部材５６２と接触することなく放熱板５６１の表面を露出させた領域Ｓ３とを含んでいる。
【００２８】
モータ５６０は、放熱板５６１上に取り付けられるブラケット５６０ａと、ブラケット５６０ａ上に設けられる金属部（発熱部）５６０ｂとを有している。このように、ブラケット５６０ａ上に金属部５６０ｂが配置されることにより、放熱板５６１と金属部５６０ｂとが離れて配置されている。
【００２９】
ブラケット５６０ａは例えば合成樹脂材料からなり、略円板状に形成されている。ブラケット５６０ａの中心部には、モータ５６０の出力軸を挿通するための挿通孔（図示せず）が設けられている。また、ブラケット５６０ａの放熱板５６１側の周端には、モータ５６０を放熱板５６１に取り付けるための一対の取付部５６０ｃ，５６０ｄが設けられている。
【００３０】
金属部５６０ｂは略円筒状に形成されており、その外周における左下部分にモータ５６０を駆動させるための電源供給用のコネクタ５６０ｅを有している。また、金属部５６０ｂはその内部にコイルや磁石等を収納している。モータ５６０がコネクタ５６０ｅを介して電力供給されると、コイルに電流が流れ、次第にそのコイルは熱を発生するようになる。この発生した熱によって、コイルの周りの金属部５６０ｂが熱せられ、金属部５６０ｂの温度が上昇することになる。なお、金属部５６０ｂからはモータ５６０の出力軸が突出しており、この出力軸はブラケット５６０ａ内の挿通孔、放熱板５６１の第２開口部５６１ａおよびベース部材５７０の第１開口部５７０ｂを通って動力伝達機構に連結されている。
【００３１】
熱伝導部材５６２は例えばアルミニウムのような熱伝導性に優れた金属板からなり、モータ５６０の金属部５６０ｂの外周と面接触する第１接触部５６２ａ，５６２ｂと、放熱板５６１と面接触する第２接触部５６２ｃと、第１接触部５６２ａ，５６２ｂと第２接触部５６２ｃとを連結する連結部５６２ｄとを有する。なお、熱伝導部材５６２の材料としては、アルミニウムの代わりに例えば銅等を用いてもよい。
【００３２】
第１接触部５６２ａは、モータ５６０の金属部５６０ｂの外周に沿って略円弧状に形成されている。具体的には、駆動装置５６を正面視したときに、第１接触部５６２ａは金属部５６０ｂの外周における左部分から時計回りに左上部分に至るまでの部分を覆うように形成されている。また、第１接触部５６２ｂは、金属部５６０ｂの外周に沿って略半円状に形成されている。具体的には、駆動装置５６を正面視したときに、第１接触部５６２ｂは金属部５６０ｂの外周における右上部分から時計回りに略左下部分に至るまでの部分を覆うように形成されている。
【００３３】
第１接触部５６２ａ，５６２ｂの周方向における一端は、コネクタ５６０ｅとの衝突を避けるように金属部５６０ｂの外側に向かって折れ曲がっている。また、第１接触部５６２ａ，５６２ｂの周方向における他端は、連結部５６２ｄと連結するように金属部５６０ｂの外側に向かって折れ曲がっている。第１接触部５６２ａ，５６２ｂが連結部５６２ｄに連結された状態において、これら第１接触部５６２ａ，５６２ｂは、金属部５６０ｂの内側に向かって弾性力を有し、金属部５６０ｂの外径よりも若干小さい外径を有するようになっている。
【００３４】
第２接触部５６２ｃは略Ｌ字平板状に形成されており、駆動装置５６を正面視したときに、主としてモータ５６０よりも上方の放熱板５６１の所定部分（領域Ｓ２）と面接触している。第２接触部５６２ｃの左右方向における両端は、剛性を高めるために前方に向かってリブ状に折れ曲がっている。また、第２接触部５６２ｃの下方部分はブラケット５６０ａの上側の取付部５６０ｃとの干渉を避けるために、所定形状の第３開口部５６２ｅを有している。また、第２接触部５６２ｃは、この第３開口部５６２ｅの左上に熱伝導部材５６２を放熱板５６１に取り付けるためのネジ穴５６２ｆを有している。
【００３５】
連結部５６２ｄは略平板状に形成されており、第２接触部５６２ｃに対して垂直な姿勢でモータ５６０に近接して配置されている。連結部５６２ｄの前方の両端部は、第１接触部５６２ａ，５６２ｂの他端と略垂直に連結している。また、連結部５６２ｄの後方の両端部は、第２接触部５６２ｃの第３開口部５６２ｅを除いた下方の両端部と連結している。このように、放熱板５６１とモータ５６０の金属部５６０ｂとが互いに離れた位置に設けられたとしても、放熱板５６１に第２接触部５６２ｃを接触させ、金属部５６０ｂに第１接触部５６２ａ，５６２ｂを接触させ、第１接触部５６２ａ，５６２ｂと第２接触部５６２ｃとを連結部５６２ｄを介して互いに連結させるようにしている。
【００３６】
このように構成された駆動装置５６においては、モータ５６０のコイルの発熱によって、金属部５６０ｂの温度が上昇すると、この温度上昇に起因している熱が金属部５６０ｂの外周から第１接触部５６２ａ，５６２ｂに伝導する。そして、第１接触部５６２ａ，５６２ｂに伝導した熱は、連結部５６２ｄを経由して第２接触部５６２ｃに伝導する。さらに、第２接触部５６２ｃに伝導した熱は、放熱板５６１に伝導してその表面（領域Ｓ３）から放散される。つまり、金属部５６０ｂから発せられた熱が、第１接触部５６２ａ，５６２ｂ、連結部５６２ｄ、第２接触部５６２ｃおよび放熱板５６１へと伝導していき、最終的に放熱板５６１の表面から放散されるようになっている。
【００３７】
以上説明したように、本実施形態例に係るパチンコ機Ｐは、遊技の進行に応じて動作可能な可動役物５４と、モータ（駆動体）５６０を駆動源として可動役物５４を動作させる駆動装置５６と、モータ５６０が取り付けられる放熱板（放熱部材）５６１と、モータ５６０に接触する熱伝導部材５６２と、を備え、熱伝導部材５６２を放熱板５６１に接触させている。この構成によれば、モータ５６０と放熱板５６１とが熱伝導部材５６２を介して接触しているので、モータ５６０から発せられた熱が熱伝導部材５６２を経由して放熱板５６１に伝導してその表面から放散される。したがって、モータ５６０が発した熱を効率よく放散することができる。
【００３８】
ここで、遊技に関する演出を盛り上げるという昨今の傾向に合わせて、可動役物５４の動作頻度を高めたり、可動役物５４自体を大型化させると、それに伴ってモータ５６０から発せられる熱が増大することになるが、本実施形態例のようにすれば、モータ５６０から発せられる熱が増大しても、この増大した熱を効率よく放散させることができる。また、可動役物５４を駆動させる駆動装置５６は、遊技盤５の背面と外枠１の背面板との間に挟まれた狭いスペースに配置されており、熱が籠り易くなっているが、本実施形態例のようにすれば、駆動装置５６の周辺に熱が籠り難くなり、熱の籠りを起因としてモータ５６０の性能が低下することを抑制することができる。
【００３９】
また、本実施形態例に係るパチンコ機Ｐでは、熱伝導部材５６２は、モータ５６０の金属部５６０ｂの外周と面接触する第１接触部５６２ａ，５６２ｂと、放熱板５６１と面接触する第２接触部５６２ｃと、を含んでいる。この構成によれば、金属部５６０ｂから第１接触部５６２ａ，５６２ｂに熱が伝導し易くなるとともに、第２接触部５６２ｃから放熱板５６１に熱が伝導し易くなる。したがって、モータ５６０が発した熱を熱伝導部材５６２を介して放熱板５６１に効率よく伝導させることができる。
【００４０】
また、本実施形態例に係るパチンコ機Ｐでは、放熱板５６１上にモータ５６０のブラケット５６０ａが取り付けられており、モータ５６０の金属部５６０ｂと放熱板５６１とは直接接触していない。そこで、放熱板５６１に熱伝導部材５６２の第２接触部５６２ｃを接触させ、金属部５６０ｂに熱伝導部材５６２の第１接触部５６２ａ，５６２ｂを接触させ、これら第１接触部５６２ａ，５６２ｂと第２接触部５６２ｃとを連結部５６２ｄによって連結させる構成が採用されている。したがって、放熱板５６１と金属部５６０ｂとが離れて位置する構成であっても、放熱板５６１を金属部５６０ｂと接触させるために放熱板５６１の折り曲げ成形を行うことなく、金属部５６０ｂが発した熱を放熱板５６１に効率よく伝導することが実現できる。
【００４１】
また、本実施形態例に係るパチンコ機Ｐでは、駆動装置５６自体が上記したような狭いスペースに配置されることを考慮して、熱伝導部材５６２は、ベース部材５７０に配置された放熱板５６１とモータ５６０の双方に沿った形状となっている。具体的には、熱伝導部材５６２の第１接触部５６２ａ，５６２ｂがモータ５６０の金属部５６０ｂの外周に沿って設けられ、第２接触部５６２ｃが放熱板５６１に沿って設けられ、連結部５６２ｄがモータ５６０に近接して設けられている。したがって、熱伝導部材５６２を配置するために大きなスペースが新たに必要とならず、上記のように制限されたスペース内であっても、熱伝導部材５６２を設けてモータ５６０から発せられた熱の効率のよい放散を実現できるようになっている。
【００４２】
また、本実施形態例に係るパチンコ機Ｐでは、放熱板５６１はベース部材５７０の前方に突出しないように、ベース部材５７０の凹部５７０ａ内に配置されている。したがって、例えばベース部材５７０の周辺に様々な配線やハーネス等が配置されたとしても、これらと放熱板５６１との接触を避けることができる。
【００４３】
また、本実施形態例に係るパチンコ機Ｐでは、熱伝導部材５６２の第１接触部５６２ａ，５６２ｂは、モータ５６０の金属部５６０ｂの外径よりも若干小さい外径を有するようになっている。これにより、熱伝導部材５６２がモータ５６０に取り付けられた状態において、第１接触部５６２ａ，５６２ｂから金属部５６０ｂにかかる圧力を増大させることができるので、第１接触部５６２ａ，５６２ｂと金属部５６０ｂの外周との密着を確保し易くすることができる。
【００４４】
なお、上記実施形態例において、熱伝導部材５６２の第１接触部５６２ａ，５６２ｂと連結部５６２ｄの周りを囲むバンド部材を取り付けて、第１接触部５６２ａ，５６２ｂの弾性力を補完するようにしてもよい。こうすれば、第１接触部５６２ａ，５６２ｂ自体の弾性力が弱くなってきたとしても、第１接触部５６２ａ，５６２ｂと金属部５６０ｂとの密着を確保することができる。
【００４５】
また、上記実施形態例では、モータ５６０は放熱板５６１上に直接配置されていたが、これに限られない。例えば、モータ５６０はベース部材５７０上に直接配置され、このモータ５６０とベース部材５７０上に配置された放熱板５６１とを熱伝導部材５６２を介して接触させるようすれば、上記実施形態例と同様の効果を奏することができる。
【００４６】
また、上記実施形態例では、可動役物駆動ユニット５５の一例として、モータ５６０を駆動源とする駆動装置５６によって液晶表示装置からなる可動役物５４を昇降動作させるものを挙げて説明をしたが、これに限られない。例えば可動役物駆動ユニット５５は、リーチ発生時や大当たり当選時等に、モータ５６０を駆動源とする駆動装置５６によって所定の可動役物を演出表示装置５３の前面で回転させたり、水平方向に移動させたり、または斜め方向に移動させたりするものであってもよい。この場合においても、モータ５６０が発した熱を効率よく放散するために、上記実施形態例と同様な構成を採用することができる。
【００４７】
また、上記実施形態例では、放熱部材の例として、放熱板５６１を挙げて説明をしたが、これに限られない。例えば、放熱効果を有する放熱シート（例えばグラファイトシートやシリコンシート等）であってもよい。
【００４８】
また、上記実施形態例では、可動役物５４を駆動させる駆動部の例として、モータ５６０を挙げて説明をしたが、これに限られない。例えば、小型の可動役物を駆動させるような場合には、モータの代わりに、ソレノイドを用いてもよい。この場合においても、ソレノイドが発した熱を放散するために、上記実施形態例と同様な構成を採用することができる。
【符号の説明】
【００４９】
Ｐ    パチンコ機（遊技機）
５４  可動役物
５６  駆動装置（駆動機構）
５６０  モータ（駆動体）
５６１  放熱板（放熱部材）
５６２  熱伝導部材
【図１】
2020120935.tif 000003
【図２】
2020120935.tif 000004
【図３】
2020120935.tif 000005
【図４】
2020120935.tif 000006
【図５】
2020120935.tif 000007
【図６】
2020120935.tif 000008
【図７】
2020120935.tif 000009
【図８】
2020120935.tif 000010
【図９】
2020120935.tif 000011
【図１０】
2020120935.tif 000012